(57)【要約】  音声ミュート化モード処理中に互いに分離した２つの装置を制御する方法。制御装置は、音声装置に音声ミュート化モード中にミュート化させる。制御装置はまた、音声ミュート化モードの期間中に映像装置にテキストサービスを出力させる。好ましくは、テキストサービスは、メディアサービスの音声部分に対応する。
2008529406.tif 000002
【特許請求の範囲】
【請求項１】
音声ミュート化処理中にテキストサービスを表示する方法であって、
音声ミュート化コマンドを音声装置に送信するステップと、
テキストサービス可能コマンドを映像装置に送信するステップと、
を有し、
前記音声装置と前記映像装置とは、互いに分離している方法。
【請求項２】
前記テキストサービス可能コマンドに応答して、前記テキストサービスを有する映像サービスを生成するステップをさらに有する、請求項１記載の方法。
【請求項３】
受信した音声ミュート化コマンドに応答して、アクセスポイントが、前記音声ミュート化コマンドとテキストサービスコマンドとを送信する、請求項１記載の方法。
【請求項４】
前記アクセスポイントはさらに、
音声メディアサービスを前記音声装置に送信するステップと、
映像メディアサービスを前記映像装置に送信するステップと、
を実行し、
前記音声メディアサービスと前記映像メディアサービスとは、受信したメディアサービスの各自の音声及び映像コンポーネントである、請求項３記載の方法。
【請求項５】
前記テキストサービスは、前記受信したメディアサービスの一部である、請求項４記載の方法。
【請求項６】
前記メディアサービスは、通信ネットワークと地上の少なくとも１つによって受信される、請求項５記載の方法。
【請求項７】
リモートコントロールは、１つのミュート化コマンドに応答して、前記音声ミュート化コマンド及び前記テキストサービスコマンドとを送信する、請求項１記載の方法。
【請求項８】
前記音声ミュート化コマンドと前記テキストサービスコマンドの送信は、選択可能であり、
１つのモードにおいて、両方のコマンドが送信され、第２のモードにおいて、前記音声ミュート化コマンドのみが送信される、請求項１記載の方法。
【請求項９】
前記音声ミュート化コマンドとテキストサービスコマンドとは、ネットワークを介し送信される、請求項１記載の方法。
【請求項１０】
当該方法を実現する装置は、リモートコントロールから制御コマンドを認識するようトレーニング可能である、請求項１記載の方法。
【請求項１１】
請求項１乃至１０何れか一項記載の方法を実現する装置。
【発明の詳細な説明】
【発明の詳細な説明】
【０００１】
［発明の分野］
本発明は、オーディオ及びビデオ装置に関し、特にオーディオ装置のミュート処理によるテキストサービスの表示に関する。
［発明の背景］
２００６年の終わりまでに米国において完了するよう設定されるデジタルベーステレビ伝送の導入によって、すべてのアナログベーステレビ伝送は排除されるよう設定される。このようなデジタルベース伝送を受信するため、ユーザは、既存のアナログテレビ又はモニタに接続可能な一体化されたデジタルテレビチューナ又は受信セットトップボックス（組み込みデジタルテレビチューナを備えた）による高品位テレビ（ＨＤＴＶ）を必要とするであろう。ＨＤＴＶの購入に伴う高いコストのため、多くのユーザは、新たなテレビセットを購入する代わりに、デジタルテレビ信号を受信するため旧式のアナログテレビによるデジタルセットトップボックスを使用しようとすることを選択するであろう。
【０００２】
デジタルベーステレビ伝送による１つの問題は、このようなテレビセットが字幕テキストの処理が可能であるという要求である。具体的には、米国政府は、多くのベーステレビ番組がＥｌｅｃｔｒｏｎｉｃ  Ｉｎｄｕｓｔｒｉｅｓ  Ａｓｓｏｃｉａｔｉｏｎ−７０８（ＥＩＡ−７０８）放送規格に従って字幕テキスト付きで放送されることを要求している。残念なことに、旧式のテレビセットはこのようなテキストサービスを受信及び復号化する機能が備えられていないため、ＨＤＴＶテレビセットしかＥＩＡ−７０８ベーステキストサービスを受信することができない。
【０００３】
アナログテレビ又はモニタを備えたセットトップボックスを使用する際、ユーザは高品位ベーステレビ信号による使用のため、ＨＤテレビ伝送及びＥＩＡ７０８テキストサービスを受信する。デジタルセットトップボックスによると、ユーザはテレビ番組のボリュームをミュートすると、字幕を表示装置に出現させる機能を見逃すかもしれない。この理由は、セットトップボックスが一定のボリュームでのみ音声信号を出力する固定されたボリューム装置であるためである。テレビ番組の実際のボリュームは、セットトップボックスでなく表示装置において制御され、表示装置が音声信号（セットトップボックスからの）の出力を制御する。従って、セットトップボックスは、現在はボリュームミュート処理コマンドに応答して反応せず、ミュート処理の実行時にはテキストサービスを提示せず、アナログテレビ装置は、ミュート時にＥＩＡ７０８ベーステキストサービスを表示しない。
【０００４】
これと同じ問題がまた、オーディオ装置が表示装置から物理的に分離可能であるとき、共にネットワーク接続される各装置（例えば、ＨＡＶＩ又はＡＶ／Ｃを利用して）について存在する。現在、オーディオ装置がミュート処理されると、表示装置は音声ミュートモードについて知ることはできず、又はこのようなミュートモードに応答してテキストサービスを提供することはできない。
［発明の概要］
本発明は、ユーザの介入なく接続されているマルチメディア装置による出力に利用可能な音声及び映像状態を動的にマッチングし、最適化するシステムである。本発明はまた、選択されたマルチメディアサービスに応じた出力について利用可能な音声及び映像状態の動的なマッチング及び最適化のためのシステムを可能にする。
【０００５】
特に、本発明は、音声及び映像出力を提供する複数の接続されたマルチメディア装置を有するホームエンターテイメントシステムに適している。本発明はまた、通信ネットワークからマルチメディアサービス又はオブジェクト（ＭＰ３音楽ファイル又はＲＥＡＬ  ＰＬＡＹＥＲＴＭファイルとして）を受信し、マルチメディア装置に接続されるマイクロコンピュータ及びインターネット対応装置により機能する。
［発明の好適実施例の詳細な説明］
図１では、複数の接続されているマルチメディア装置を有するエンターテイメントシステム１００の音声及び映像マルチメディア装置の一例が示される。エンターテイメントシステム１００を構成するマルチメディア装置は、好ましくは、各装置間の双方向通信を提供する有線ベースインタフェース（ＲＣＡケーブル、イーサネット、同軸ケーブル、電話線、ＩＥＥＥ１３９４準拠ケーブル、銅線、シリアルケーブル、光ケーブル、ＵＳＢなど）を介して接続される。任意的には、エンターテイメントシステム１００を有するマルチメディア装置は、無線インタフェース（ラジオ周波数、赤外線、ＢＬＵＥＴＯＯＴＨＴＭ、８０２．１１Ｂ、８０２．１１Ａなど）を介し通信する。あるいは、通信は、１つのマルチメディア装置がコントローラ（マスタ）であって、他のマルチメディア装置（スレーブ）がコントローラに接続される関係を利用した一方向的なものである。
【０００６】
各マルチメディア装置間の通信は、２つのレベルの情報、すなわち、複数の接続されているマルチメディア装置から利用可能な選択された音声及び映像出力状態によって生成及び処理されるマルチメディア信号（メディアサービス）と、接続されたマルチメディア装置を管理するのに利用される制御情報とを有する。送信される情報は、デジタル、アナログ及び／又はそれらの組み合わせによるデータフォーマットによるものである。例えば、ＤＶＤ再生中に（メディアサービス）、ＤＶＤプレーヤー１０８により生成されるマルチメディア信号は、ステレオベース選択音声出力状態について出力されるステレオ音声信号と、ＨＤベース選択映像出力状態について出力される１０８０×１９２０ピクセル６０Ｈｚインタレース映像信号とである。制御コマンドは、好ましくは、内部のデータインタフェース／コントローラによって処理可能であり、又は接続されているマルチメディア装置を制御するのに利用可能なパケットベース構成（ＴＣＰ／ＩＰ）に従うＪＡＶＡＴＭ又はＸＭＬに準拠した通信信号である。任意的には、制御情報は、電気回路のパラメータ（値）（電圧、抵抗、電流、インダクタンス、キャパシタンスなど）及び／又は電気信号のパラメータの変化（抵抗又は電圧の変化など）として通信される。他の実施例として、双方のレベルにより送信される情報は、専用の規格（ＨＡＶＩ、ＭＰＥＧ−７）に準拠したメタデータの形式をとる。
【０００７】
セットトップボックス１１８は、リモートソースから受信されるメディアサービスとエンターテイメントシステム１００の間のゲートウェイとして機能する。メディアサービスは、選択された音声及び映像出力状態によりエンターテイメントシステム１００により出力可能な音声ベースサービス（音楽、ラジオベーストークショー、ストリーミング音声など）及び／又は映像ベースサービス（テレビ番組、映画、コンピュータ／ビデオゲームなど）である。サービスプロバイダとしてのリモートソース（例えば、衛星、インターネット、ケーブル、放送用アンテナ、ＰＳＴＮ（Ｐｕｂｌｉｃ  Ｓｗｉｔｃｈｅｄ  Ｔｅｌｅｐｈｏｎｅ  Ｎｅｔｗｏｒｋ）、セルラーネットワーク、赤外線送信機など）は、セットトップボックス１１８に接続される音声／映像受信機１０６に接続される他のマルチメディア装置により使用するため、エンターテイメントシステム１００を介した配信のためメディアサービスを処理するデジタル衛星システム１３４、モデム１２０及びアンテナ１４０としてのマルチメディア装置によって受信される信号としてメディアサービスを送信する。任意的には、デジタル衛星システム１３４及びモデム１２０としてのマルチメディア装置は、メディアサービス（ケーブルサービスプロバイダからのビデオ・オン・デマンドなど）を要求し、エンターテイメントシステム１００のメンテナンス（新たな音声出力状態のダウンロード、電子番組ガイド情報の受信、ソフトウェアドライバ及びコーデックスのアップグレードなど）を実行するため、リモートソースと双方向通信する。
【０００８】
任意的には、音声／映像受信機１０６は、システムのニーズに応じて音声信号又は映像信号により動作するよう構成される。従って、セットトップボックス１１８は、仲介者として音声／映像受信機１０６を利用することなく、標準品位テレビ１０４又は高品位テレビ１０２に映像サービスを直接出力するようにしてもよい。このとき、音声サービスがスピーカー１２２及び１２４又は他の何れかの音声出力装置に音声受信機１０６を介し出力することができる。
【０００９】
エンターテイメントシステム１００はまた、ローカルソースから利用可能なメディアサービスを収容及び配信する。音声／映像受信機１０６に接続されるＤＶＤプレーヤー１０８、ビデオテープレコーダ１１０、パーソナルビデオレコーダ１３０は、交換可能な媒体の使用を通じてメディアサービスをローカルに提供するマルチメディア装置（映画を格納するビデオテープを再生するビデオテープレコーダ１１０など）の具体例である。音声／映像受信機１０６に接続されるメディアサーバ１３４及びストリーミングメディアプレーヤー１１２としての他のマルチメディア装置は、ローカルの固定された記憶装置（ハードディスクドライブ、光ディスク、フラッシュ又はスタティックＲＡＭなど）からローカルソースのメディアサービスを提供する。任意的には、ローカル記憶装置に格納されているメディアサービスは、リモートソースから又はメディアサーバ１３４に接続される他のマルチメディア装置から受信及びアーカイブされたものである。メディアサービスの他のソースは、エンターテイメントシステム１００の他の接続されているマルチメディア装置との接続を介し分散されているマイクロコンピュータ１１４又はビデオゲームシステム１１６上で実行されるソフトウェアによってローカルに生成される。
【００１０】
エンターテイメントシステム１００は、選択された音声及び映像出力状態に従ってメディアサービスを処理及び出力するマルチメディア装置を利用する。音声／映像受信機１０６は、選択された音声及び／又は映像出力状態によりメディアサービスを処理及び出力するマルチメディア装置に対しメディアサービスのソースを一致させるマルチメディア装置である。例えば、ＤＶＤプレーヤー１０８は、ＨＤ映像ベースメディアサービス（ローカル又はリモートソースの）を音声／映像受信機１０６を介し高品位テレビ１０６に配信する。好ましくは、音声／映像受信機１０６は、映像ベースメディアサービスについて、ＳＤ状態をサポートするメディアサービスを表示する標準品位テレビ１０４と、ＨＤ状態をサポートするメディアサービスを表示する高品位テレビ１０２を選択する。任意的には、コンピュータモニタ１３２が、マイクロコンピュータ１１４により生成されるローカルベースメディアサービスを表示する。
【００１１】
音声ベースメディアサービスは、エンターテイメントシステム１００を介し利用可能な音声ベースマルチメディア装置を介してサポートされる。好ましくは、音声ベースサービス（ローカル又はリモートソースの）は、少なくともステレオスピーカー１２２、ステレオスピーカー１２４、センターチャネルスピーカー１２６及びサブウーファスピーカー１２８を有するスピーカーグループを有する音声システムによって出力される。任意的には、標準品位テレビ１０４、高品位テレビ１０２又はコンピュータモニタ１３２が、マルチメディア装置の音声コンポーネント（音声スピーカーなど）を介し音声ベースメディアサービスを出力するのに利用される。音声／映像受信機１０６は、選択された音声出力状態に従って音声システムからスピーカーグループを選択することが可能であり、第２のスピーカーグループが、選択された音声出力状態が変更されると選択される。
【００１２】
高品位テレビ１０２は、好ましくは、映像信号の一部として、又は受信した映像信号に対応する補助信号の一部として受信されるテキストサービスを表示するよう構成される。アナログベース映像サービスを受信するため、高品位テレビ１０２は、拡張されたデータサービスプロセッサを利用して、受信した映像信号の垂直帰線消去期間から拡張されたデータサービス又はテレテキスト情報を抽出する。デジタルベース映像信号を受信するため、高品位テレビ１０２は抽出プロセッサを利用して、受信した映像信号に対応する補助サービスからテキストを抽出する。この抽出プロセッサは、ＥＩＡ−７０８又はＩＳＯ／ＩＥＣ１３５２２−５：１９９７（ＭＨＥＧ５）などのテキストサービス規格の実現について当該分野で知られている。任意的には、標準品位１０４及びセットトップボックス１１８は、高品位テレビ１０２について記載されるものと同様に動作する。
【００１３】
リモートコントロール１５０は、エンターテイメントシステムの各装置を操作するのに利用される制御装置である。リモートコントロール１５０からの制御コマンドは、システム１００の各装置に赤外線又はＲＦコマンドとして無線送信される。好ましくは、各装置はこのようなコマンドを受信する組み込み受信機を有する。任意的には、システム１００の装置の少なくとも１つは、システム１００の他の装置を制御するのに利用されるアクセスポイントして機能するかもしれない。例えば、アクセスポイントして動作する装置は、チャネル変更コマンドを表示装置に転送し、又は音声ボリューム制御コマンドを音声装置に転送する。
【００１４】
図２において、出力に利用可能な音声及び映像出力状態を動的にマッチングし、最適化する接続されているマルチメディア装置の具体例が示される。音声／映像ハブ２６０は、好ましくはマルチメディア装置間の双方向通信をサポートするネットワーク規格（ＵＳＢ、ＩＥＥＥ−１３９４、イーサネット）に準拠したエンターテイメントシステム２５０のマルチメディア装置（モデム１２０、音声／映像受信機１０６、ＤＶＤプレーヤー１０８）を相互接続する。音声及び映像メディアサービス（ソース信号）は、音声／映像ハブ２６０を介しＤＶＤプレーヤー１０８から高品位テレビ１０２及び音声／映像受信機１０６に出力される。音声／映像受信機１０６と高品位テレビ１０２は、他のマルチメディア装置に利用可能な音声及び映像状態に関して、（ＤＶＤプレーヤー１０８から）受信したサービスを処理、表示準備及び／又は出力する。
【００１５】
高品位テレビ１０２としてのマルチメディア装置は、マルチメディア装置によりサポートされる音声及び映像出力状態を参照する情報を有する特徴レジストリ２３６を有する。好ましくは、特徴レジストリ２３６は、内部的に読み出しされ、又はクエリコマンドに応答して他のマルチメディア装置と通信可能なエントリのテーブル又はメタデータとしてサポートされている状態をリストするデータを有する更新可能なバッファとして機能する。任意的には、サポートされている状態は、電気回路のパラメータ（値）（電圧、抵抗、電流、インダクタンス、キャパシタンスなど）として、及び／又は電気信号のパラメータの変化（抵抗又は電圧の変化など）として通信される。特徴レジストリ２３６の情報は、マルチメディア装置の音声及び／又は映像出力状態が追加及び／又は削除されるとき更新される。
【００１６】
特徴レジストリ２３６は、高品位テレビ１０２の他の機能セグメントを通信及び制御するマイクロプロセッサ２２６に接続される。マイクロプロセッサ２２６に接続されるデータインタフェース／コントローラ２２８は、他の接続されているマルチメディア装置から情報信号を送受信するインタフェースとして動作する。さらに、データインタフェース／コントローラ２２８は、受信した通信を高品位テレビ１０２の内部フォーマットに構文解析し、変換テーブル、スタイルシート（メタデータのための）、解凍手段又は圧縮手段の少なくとも１つを利用することを通じて通信を（接続されているマルチメディア装置のネットワークプロトコルに）送信する。マイクロプロセッサ２２６はまた、好ましくは、選択された映像状態（出力状態最適化によって選択された）に従って出力用の受信した映像サービスをデジタル処理する映像プロセッサ２３０に接続される。その後、処理された映像信号は、マイクロプロセッサ２２６により制御されるディスプレイ２３２に出力可能である。任意的には、グラフィカルユーザインタフェース（ＧＵＩ２２４）が、電子番組ガイド（ＥＰＧ）を介しメディアサービスを選択し、及び／又はマルチメディア装置を操作（例えば、ボリューム調整、電源オン・オフ、お気に入りのメディアサービスへのショートカットの確立、選択された音声又は映像出力状態の強制など）するため利用可能である。高品位テレビ１０２は、音声ベースメディアサービスを処理する音声プロセッサ２４０をサポートする。
【００１７】
音声／映像受信機１０６は、マルチメディア装置のその他の機能セグメントを制御するマイクロプロセッサ１０６を有する。共にマイクロプロセッサ１０６に接続されるデータインタフェース／コントローラ２０８及び特徴レジストリ２１６は、上述される高品位テレビ１０２のデータインタフェース／コントローラ２２６及び特徴レジストリ２３６と同様に動作する。マイクロプロセッサ２２６はまた、好ましくは、音声状態（出力状態最適化によって選択される）に従って受信した音声サービスをデジタル処理する音声プロセッサ２１０を制御する。その後、マイクロプロセッサ２２６は、音声出力装置２１２（音声スピーカーなど）上で処理された音声サービスを出力する準備をする。任意的には、音声プロセッサ２１０は、環境効果（コンサートホール又はロックコンサートでの再生）及び音声信号属性として音声エンハンスメントにより音声メディアサービスを処理する。
【００１８】
マルチメディア装置（高品位テレビ１０２及び音声／映像受信機１０６）は、音声／映像ハブ２６０を通じた接続を介しモデム１２０とやりとりする。モデム１２０は、リモートソースとの通信ネットワーク２７０（例えば、インターネット、ローカル・エリア・ネットワーク（ＬＡＮ）、ワイド・エリア・ネットワーク（ＷＡＮ）、イーサネット、ＰＳＴＮなど）とのゲートウェイ装置として機能する。マルチメディア装置（高品位テレビ１２０としての）は、メディアサービス、システムメンテナンス（出力状態の追加／削除、ＧＵＩ２２６の更新）を送受信し、通信ネットワーク２７０を介しアクセスされる（ローカルメディアサービスをインターネット接続を介しサーバに送信するなど）リモート装置（コンピュータ、マルチメディア装置）と通信するためのモデム１２０を使用する。
【００１９】
ユーザが高品位テレビ１０２などの表示装置上でテレビ番組などのメディアサービスを視聴しているとき、ユーザはメディアサービスの音声をミュート処理することを所望するかもしれない。典型的には、このようなミュート機能は、ユーザが表示装置上で又はリモートコントロール１５０を介しボリューム制御を直接操作することによって実現される。ボリュームがミュート処理された後、表示装置はメディアサービスに対応する字幕などのテキストサービスを表示するよう構成される。テキストサービスは、ミュートモードが終了するまで表示される。
【００２０】
本発明は、音声及び映像装置が互いに分離されているとき、又は音声及び映像サービスを出力する装置（セットトップボックスなど）が、このような音声及び映像サービスをレンダリングする装置において行われることを認識していないとき、音声ミュート処理モード中にテキストの表示を実現する概略を提供する。従来技術では、ユーザは、音声及び映像装置が互いに分離されている場合、音声ミュート処理モードとテキストモードの表示の両方を手動により起動する必要がある。本発明の原理を利用することによって、音声ミュート処理モードに関するテキストの表示は、ユーザが２つの独立したアクションを行うことなく実行される。
【００２１】
図３は、音声ミュート処理モード中のテキストサービスの起動を実現するための方法３００のフローチャートを提供する。ステップ３０２は、ユーザが音声装置に対する制御コマンドセットを指定することによってスタートする。本発明の実施例では、テレビ番組を表すメディアサービスは、当該メディアサービスの映像部分が高品位テレビ１０２に分配され、音声が音声受信機１０６に分配されるセットトップボックス１１８により受信される。受信機１０６の動作を制御するオン、オフ、ボリューム、トレンブル、バスなどの制御コマンドが、当該ステップにおいて規定される。受信機１０６からの音声は、ストレオスピーカー１２２及び１２４などの装置を介し出力することが可能である。
【００２２】
典型的には、制御コマンドはリモートコントロール１５０により予め規定され、ユーザは、リモートコントロールにより使用されるブランド及び装置タイプを指定するためのコードにより入力する。あるいは、いくつかのリモートコントロールは、何れのコンポーネントがリモートコントロールにより利用されるかユーザが規定する必要なく装置と共に動作し、又は他のリモートコントロールから制御コマンドを学習する学習リモートコントロールが利用可能であるかもしれない。これらのタイプのリモートコントロールの設定は、従来技術において知られている。
【００２３】
従来技術と異なって、リモートコントロール１５０は、テキストモードがミュート処理中に表示されるべきか否かについて影響を与える追加的なモードを有するよう処理される。ステップ３０４において、ユーザは、音声ミュート処理モードが表示装置に音声ミュート処理モード中にセットトップボックスからの復号化されたテキストを使用してテキストサービスを表示させるか否かに影響を与えるパラメータを選択的に規定する。例えば、ユーザは、音声ミュート処理モード中にテキストサービスの表示を可能にするリモートコントロールに“ＯＮ”の値をプログラムするようにしてもよい。同様に、このモードは、ユーザがリモートコントロールに“ＯＦＦ”の値をプログラムすることにより不可とされる。この選択的なモードは、デフォルトにより“ＯＮ”又は“ＯＦＦ”の何れかとされてもよい。
【００２４】
リモートのプログラミングは、音声ミュート処理モードの処理が２つの独立した装置の処理に影響を与えるため重要である。従って、音声ミュート処理モードが可能であるとき、リモートコントロール１５０は、ステップ３０８において、音声ミュート処理コマンドを音声受信機１０６又は標準品位テレビ１０４に送信し、効果的に装置の音声をミュート化する。同様に、リモートコントロール１５０は、ステップ３０６において、字幕、テレテキストなどのテキストサービスを標準品位テレビ１０４に表示するため、制御コマンドをセットトップボックス１１８に送信する。（第２制御コマンドが、セットトップボックスにその後にアナログテレビ又はモニタ（ＳＤＴＶ）上に表示される字幕テキストを表示させるため、ＨＤＴＶでなくセットトップボックスに送信されるため、私はこれを変更した。ＨＤＴＶはすでに、ＥＩＡ７０８字幕テキストを復号可能なデジタルテレビチューナをその中に有しているため、それは本発明を必要としない。それが意味があることを希望せよ。Ｍａｒｋ）好ましくは、テキストサービスは、メディアサービスのコンテンツに関するダイアログ又は補助情報などの音声メディアサービスに対応する。テキストサービスは、表示装置上に表示可能な映像信号の一部として生成される。好ましくは、テキストサービスは、メディアサービスの映像と合成され、当該テキストサービスがメディアサービスの映像に重ね合わされるか、又は表示装置の視聴エリアの分離したエリアに表示される。テキストサービスは、ステップ３１０において、表示装置上に表示される。その後任意的には、テキストサービスの表示は、ミュート処理機能がリモートコントロール１５０を介し終了されるとき、ミュート処理不可コマンドが音声受信機１０６に送信され、テキストサービス不可コマンドがセットトップボックス１１８又は標準品位テレビ１０４に送信されることによって不可とされる。
【００２５】
本発明の他の実施例では、セットトップボックス１１８、音声受信機１０６及び高品位テレビ１０２は、ＨＡＶＩなどのマルチメディア装置の規格を利用してネットワークインタフェースを介し共に接続される。各装置がＩＲ又はＲＦ受信機を有するリモートコントロール１５０からのコマンドの受信に依存する必要なく、ＨＡＶＩ対応装置はネットワークを介し互いにコマンドを通信することができる。従って、１つの装置によって受信されるコマンドは、ネットワークインタフェースを介し第２装置に転送可能である。例えば、高品位テレビ１０２により受信されるミュートコマンドは、ネットワークインタフェースを介しセットトップボックス１１８に送信される。
【００２６】
ステップ３０２の第２の他の実施例では、ユーザは、リモートコントロール１５０に応答して動作するようセットトップボックス１１８をトレーニングすることが可能である。例えば、ユーザは、ステップ３０２において、表示装置を介し表示されるメニューを介しセットトップボックス１１８のリモートコントロールトレーニングモードを起動する。次に、セットトップボックス１１８は、ユーザがリモートコントロール１５０上の選択されたコマンドを押下することを要求する。これらのコマンドは、リモートコントロール１５０からセットトップボックス１１８上のＩＲ受信機に送信され、セットトップボックスは、何れの制御コマンドが制御装置に対してリモートコントロールによって使用されるか決定することができる。
【００２７】
ステップ３０４において、ユーザは、表示装置へのミュートコマンドに応答して、セットトップボックス１１８にテキストサービスを配信させるオプションを有する。このオプションは、リモートコントロール１５０上のオプション、セットトップボックス１１８により生成される画面メニュー等を介し選択可能である。ステップ３０８が起動されると、リモートコントロール１５０は、音声受信機１０６などの音声装置をミュート化するため、制御コマンドを送信する。このコマンドはまた、セットトップボックス１１８により受信される。
【００２８】
この制御コマンドに応答して、セットトップボックス１１８は、ステップ３０６において、高品位テレビ１０２又は１０４などの表示装置上に表示可能なテキストサービスを含む映像信号を出力する。この映像信号は、ミュートモードがリモートコントロール１５０を介し終了されるまで、このような表示装置上に表示することが可能である（ステップ３１０と同様に）。ミュートモードを終了するコマンドは、リモートコントロール１５０からセットトップボックス１１８と音声受信機１０６の両方に送信される。このミュート終了コマンドに応答して、セットトップボックス１１８は、テキストサービスの生成を中断し、音声受信機１０６が音声の再生を再開する。
【００２９】
図４において、サンプルコマンドの構成がリストされている。ここでは、このような制御コマンドはネットワークインタフェースを介し各装置間で送信可能である。図３を参照するに、ステップ３０２は、ネットワーク上の何れかの装置において実現することが可能である。従って、ユーザはアクセスポイントとしてセットトップボックス１１８を使用して、音声受信機１０６と高品位テレビ１０２の動作を制御し、ユーザは、セットトップボックス１１８がこれら各装置を実行するための制御コマンドを送信するよう指定する。規定されると、セットトップボックス１１８は、テレビ番組の音声メディアサービスを音声受信機１０６に、映像部分を高品位テレビ１０２に転送する。
【００３０】
ネットワーク上の任意の装置がアクセスポイントとして利用可能であり、音声受信機１０６又は高品位テレビ１０２がセットトップボックス１１８とその他の装置を制御することに留意されたい。例えば、高品位テレビ１０２がアクセスポイントして指定された場合、テレビは、音声ミュートモード中に音声受信機１０６のボリュームをミュート化するため、ＳＥＤＥ  ＡＵＲＣ  ＶＯＬＵ  ０コマンドを送信する。同様に、音声受信機１０６がアクセスポイントして動作する場合、受信機は、ＳＥＤＥ  ＳＤＴＶコマンドを送信することによって表示装置として標準品位テレビ１０４を、又はＳＥＤＥ  ＨＤＴＶコマンドを送信することによって高品位テレビ１０２を使用することを選択するようにしてもよい。この動作コマンドはまた、成功するとＡＣＫＮコマンドを送信し、コマンドが受信されなかった又は理解されなかった場合にＮＡＣＫコマンドを送信することによって、コマンドの受信が成功したかこれらの装置が判断することを可能にする。
【００３１】
ステップ３０４において、アクセスポイントとしてのセットトップボックス１１８は、音声ミュート化コマンドに応答してテキストベースメディアサービスを出力すべきかについて、選択的に可能とされる。この機能は、表示装置上に表示可能な画面上のメニューの一部として、パネル機能として、リモートコントロール１５０を介して選択されるかもしれない。このようなモードが可能とされると、セットトップボックス１１８は、ステップ３０６において、音声ミュート化モード中にＶＯＬＵ  ０コマンドを音声受信機１０６に送信する。
【００３２】
同様に、セットトップボックス１１８は、字幕情報を含むテキストサービスを有する映像信号を生成するためテレビに表示するＣＣＶＤ  １コマンドを高品位テレビ１０２に送信する（ステップ３０６）。生成されると、高品位装置１０２は、音声ミュート化モードが非アクティブとされるまで、このようなテキストサービスを表示する（ステップ３１０）。セットトップボックス１１８は、音声の再生を再開するため、ＶＯＬＵ  ＸＸＸＸ（ゼロでない）を音声受信機１０６に送信し、テキストサービスの表示を非アクティブとするため、高品位テレビ１０２にＣＣＶＤ  ０コマンドを送信する。テレテキストは、ＴＴＶＤコマンドを使用することによって可能及び不可とされる。他のコマンドが、他のマルチメディア規格に従って使用されてもよい。
【００３３】
セットトップボックス１１８に接続される表示装置がテキストサービスデコーダを有しなくてもよいことが可能であるということに留意されたい。従って、ミュート化モードが可能にされると、セットトップボックス１１８は、表示装置上に表示されるべき映像メディアサービスの一部としてテキストサービスを生成する。セットトップボックス１１８は、音声ミュート化モードが不可にされると、テキストサービスの映像の生成を終了する。この任意的な実施例では、セットトップボックス１１８には、リモートコントロール１５０、音声受信機１０６又はネットワーク上の他の何れかの装置からの制御コマンドとして直接的にミュート化モードの処理を通知される。
【００３４】
本発明がハードウェア、ソフトウェア、ファームウェア、特定用途プロセッサ又は上記の組み合わせの各種形態により実現可能であるということが理解されるべきである。好ましくは、本発明は、ハードウェアとソフトウェアの組み合わせとして実現される。さらに、ソフトウェアは、好ましくは、プログラム記憶装置上で有形に実現されるアプリケーションプログラムとして実現される。アプリケーションプログラムは、何れか適切なアーキテクチャを有するマシーンにアップロード及び実行されてもよい。好ましくは、マシーンは、１以上の中央処理ユニット（ＣＰＵ）、ランダム・アクセス・メモリ（ＲＡＭ）及び入出力（Ｉ／Ｏ）インタフェースなどのハードウェアを有するコンピュータプラットフォーム上に実現される。コンピュータプラットフォームはまた、オペレーティングシステムとマイクロ命令コードとを有する。ここに記載される各種処理及び機能は、オペレーティングシステムを介し実行されるマイクロ命令コードの一部又はアプリケーションプログラムの一部（又はこれらの組み合わせ）であってもよい。さらに、他の各種周辺装置が、追加的なデータ記憶装置及び印刷装置などのコンピュータプラットフォームに接続されてもよい。
【００３５】
添付した図面に示されるシステムコンポーネント及び方法ステップの一部は、好ましくは、ソフトウェアにより実現されるため、システムコンポーネント（又は方法ステップ）間の実際の接続は、本発明がプログラムされる方法に応じて異なるかもしれないということがさらに理解されるべきである。ここでの教示が与えられると、関連技術の当業者は、本発明の上記及び同様の実現又は構成を想到することが可能であろう。
【００３６】
例示的な実施例が添付した図面を参照して記載されたが、本発明はこれら厳密な実施例に限定されるものでなく、他の各種変更及び改良が、本発明の範囲又は趣旨から逸脱することなく関連技術の当業者により影響されるかのしれないということが理解されるべきである。このようなすべての変更及び改良は、添付した請求項によって規定されるような本発明の範囲内に含まれることが意図される。
【図面の簡単な説明】
【００３７】
【図１】図１は、複数の接続されたマルチメディア装置を有する音声及び映像マルチメディア装置のエンターテイメントシステムの図である。
【図２】図２は、接続されたマルチメディア装置の図である。
【図３】図３は、本発明の実施例による音声ミュート化コマンドに応答してテキストサービスを表示するブロック図である。
【図４】図４は、ネットワーク接続を介し相互接続された音声及び映像装置のシステムの処理のためのコマンドのテーブルである。
【図１】
2008529406.tif 000003
【図２】
2008529406.tif 000004
【図３】
2008529406.tif 000005
【図４】
2008529406.tif 000006
【手続補正書】
【提出日】平成18年4月11日(2006.4.11)
【手続補正１】
【補正対象書類名】明細書
【補正対象項目名】００２４
【補正方法】変更
【補正の内容】
【００２４】
リモートのプログラミングは、音声ミュート処理モードの処理が２つの独立した装置の処理に影響を与えるため重要である。従って、音声ミュート処理モードが可能であるとき、リモートコントロール１５０は、ステップ３０８において、音声ミュート処理コマンドを音声受信機１０６又は標準品位テレビ１０４に送信し、効果的に装置の音声をミュート化する。同様に、リモートコントロール１５０は、ステップ３０６において、字幕、テレテキストなどのテキストサービスを標準品位テレビ１０４に表示するため、制御コマンドをセットトップボックス１１８に送信する。好ましくは、テキストサービスは、メディアサービスのコンテンツに関するダイアログ又は補助情報などの音声メディアサービスに対応する。テキストサービスは、表示装置上に表示可能な映像信号の一部として生成される。好ましくは、テキストサービスは、メディアサービスの映像と合成され、当該テキストサービスがメディアサービスの映像に重ね合わされるか、又は表示装置の視聴エリアの分離したエリアに表示される。テキストサービスは、ステップ３１０において、表示装置上に表示される。その後任意的には、テキストサービスの表示は、ミュート処理機能がリモートコントロール１５０を介し終了されるとき、ミュート処理不可コマンドが音声受信機１０６に送信され、テキストサービス不可コマンドがセットトップボックス１１８又は標準品位テレビ１０４に送信されることによって不可とされる。
【国際調査報告】
2008529406.tif 000007
2008529406.tif 000008
2008529406.tif 000009